(57)【要約】      （修正有）【課題】携帯性を有すると共に、人体の脊髄を温めることができる温熱マットを提供する。【解決手段】ベースマットと、該ベースマットの上面の略中央部に設けられた人体の脊髄に沿った曲面を有する突起部１２と、使用者の体の一部を温めるために可撓性を有する面テープ状に形成された発熱部２０とを備え、突起部の上面に発熱部を設け、当該発熱部の発熱により、使用者の脊髄を加温する。【選択図】図２
0003166074.tif 000002
【実用新案登録請求の範囲】
【請求項１】
ベースマットと、
前記ベースマットの上面の略中央部に設けられた人体の脊髄に沿った曲面を有する突起部と、
使用者の体の一部を温めるために可撓性を有する面テープ状に形成された発熱部と、
を備え、
前記突起部の上面に前記発熱部を設け、当該発熱部の発熱により、使用者の脊髄を加温することを特徴とする温熱マット。
【請求項２】
前記発熱部は黄土を含有し、発熱時に遠赤外線を発することを特徴とする請求項１に記載の温熱マット。
【請求項３】
前記発熱部は、家庭用電源による通電により発熱可能とし、しかも、発熱させる温度を調節可能とした温度調節部を備えたことを特徴とする請求項１又は請求項２に記載の温熱マット。
【考案の詳細な説明】
【技術分野】
【０００１】
本考案は、温熱マットに関し、特に、使用者の脊髄に沿って加温することで、免疫効果を高めることが可能な温熱マットに関するものである。
【背景技術】
【０００２】
従来、電気を通電することにより発熱して遠赤外線を放射し、使用者の体を温めることで、日常生活のストレスを解消するとともに、それに伴う生活習慣病、例えば、肩こりや腰痛などを緩和する温熱マットや赤外線照射ランプなどが広く知られている。
【０００３】
また、遠赤外線の効果を利用して使用者の全身を温めることで発汗を促し、疲労回復又は美容、ダイエットの効果を狙った岩盤浴などもよく知られている。
【０００４】
そこで、使用者の全身を温めて発汗を促し、美容やダイエット、その他腰痛などを緩和して、疲労回復を図ることのできる温熱シートが開示されている。すなわち、導電線を織り込んだ繊維にナノ・カーボンなどを含む導電塗料を含浸した面状発熱体を熱源として、使用者が袋状の温熱シートに横臥した状態で面状発熱体を発熱させ遠赤外線を放射することで、使用者の全身を温めて発汗作用を促進し、美容やダイエット、その他患部の痛みを緩和するとともに疲労回復などの効果を狙った温熱シートが開示されている（例えば、特許文献１に記載）。
【先行技術文献】
【特許文献】
【０００５】
【特許文献１】特開２００８−１０００１６号公報
【考案の概要】
【考案が解決しようとする課題】
【０００６】
ところが、上記特許文献１に記載の温熱シートでは、使用者の全身を温める構成のため、例えば、使用者が高齢者の場合には体の負担が大きく、また、使用者の発汗に対する防水加工なども必要であり、さらに、使用する場所やスペースを考慮する必要があった。
【０００７】
また、使用者の全身を温めるために面状発熱体の面積も大きくなり、それに伴い消費電力も大きくなってしまう。
【０００８】
この考案は、上記課題を解決するためになされたもので、使用者の体全体を、発汗を促すほど温めるのではなく、体の一部、特に使用者の体の基幹となる脊髄を温めることで、使用者の血流を改善して体温を上昇させ、自律神経のバランスを整え免疫力を高めるとともに、なおかつ、使用者の体への負担が少なく、さらに、消費電力が少なく、小型軽量で使用する場所を選ばない温熱マットを提供することを目的とする。
【課題を解決するための手段】
【０００９】
そこで、請求項１に記載の考案は、ベースマットと、前記ベースマットの上面の略中央部に設けられた人体の脊髄に沿った曲面を有する突起部と、使用者の体の一部を温めるために可撓性を有する面テープ状に形成された発熱部と、を備え、前記突起部の上面に前記発熱部を設け、当該発熱部の発熱により、使用者の脊髄を加温することを特徴とする。
【００１０】
請求項２に記載の考案は、請求項１に記載の考案において、前記発熱部は黄土を含有し、発熱時に遠赤外線を発することを特徴とする。
【００１１】
請求項３に記載の考案は、請求項１又は請求項２に記載の考案において、前記発熱部は、家庭用電源による通電により発熱可能とし、しかも、発熱させる温度を調節可能とした温度調節部を備えたことを特徴とする。
【考案の効果】
【００１２】
請求項１に記載の考案によれば、ベースマットと、前記ベースマットの上面の略中央部に設けられた人体の脊髄に沿った曲面を有する突起部と、使用者の体の一部を温めるために可撓性を有する面テープ状に形成された発熱部と、を備え、前記突起部の上面に前記発熱部を設け、当該発熱部の発熱により、使用者の脊髄を加温するように構成している。
【００１３】
そして、ベースマットに設けられた突起部の曲面に沿って、使用者の脊髄を押し当てることで、突起部の表面に設けられた発熱部から所定の熱が伝導して、使用者の体の基幹となる脊髄のみを温めることができる。これにより、全身を温める方式と比較して使用者の体への負担が少ない状態で、使用者の全身の血行を改善して体温を上昇させることができるので、日常生活におけるストレスから発生する様々な生活習慣病、例えば、肩こりや腰痛等を緩和することができる。また、使用者の脊髄を温めることで骨髄液の循環が活発となり、自律神経及びホルモンのバランスが整えられ、使用者の体内の免疫力を高めることができ病気を予防することにも繋がる。
【００１４】
また、温熱マットは小型軽量であるため持ち運びが可能であり、電源部４０があれば、あらゆる場所でも使用することができる。
【００１５】
請求項２に記載の考案によれば、前記発熱部は黄土を含有し、発熱時に遠赤外線を発するので、遠赤外線効果により温熱効果を長く持続させることができるため、使用者の体温の上昇を長時間持続させることができる。
【００１６】
請求項３に記載の考案によれば、前記発熱部は、家庭用電源による通電により発熱可能とし、しかも、発熱させる温度を調節可能とした温度調節部を備えているため、家庭用電源が設置されている場所でならどこでも使用可能であり、さらに、発熱部の温度調整が可能なため、使用者は周辺温度や自身が現在着用している衣服等に応じて、自身が快適と体感できる最適な温度を設定することができる。
【図面の簡単な説明】
【００１７】
【図１】この考案の実施形態における温熱マットの全体構成を示した斜視図である。
【図２】この考案の実施形態における温熱マットの内部構成を示した斜視図である。
【図３】この考案の実施形態における発熱部の構成を示した図である。
【図４】この考案の実施形態における温熱マットの使用例を示した図である。
【考案を実施するための形態】
【００１８】
本実施例における温熱マットは、低反発ポリウレタン等のクッション材で長方矩形に形成されたベースマットと、当該ベースマットの上面の長手方向略中央部に、同じく低反発ポリウレタン等のクッション材で設けられた人体の脊髄に沿った曲面を有する突起部とで構成され、全体をカバーで覆うことにより、独特の形状の温熱マットを形成している。
【００１９】
また、使用者の体の一部を温めるために可撓性を有する面テープ状の発熱部を、上記突起部の上面の曲面に沿って添付しており、当該発熱部には、電気の供給を制御して発熱部の温度を調節することが可能なコントローラと、家庭用電源から電気を供給する電源部（例えば、ＡＣ／ＤＣ変換アダプタなど）が接続されている。
【００２０】
本実施例における発熱部は、黄土を含有した可撓性を有する面テープ状の内部に、導電性細長材を複数本並列に配設し、同導電性細長材に電源部より導電部を介して通電することにより所定の熱を発する。
【００２１】
すなわち、発熱部は、黄土を含有したシート素材（以下、黄土シートという）の内部に、導電性細長材を複数本並列に配設したもので、その導電性細長材に電源部より導電部を介して通電して所定の熱を発することにより、その上部の黄土シートが温められて発熱するとともに、黄土シートからは遠赤外線が放射される。
【００２２】
なお、２枚の黄土シートの間に導電性細長材を複数本並列して設け、２枚の黄土シートを粘着して一体化することで、可撓性を有する面テープ状の発熱部として形成することができる。そして、このようにして形成した発熱部を、突起部上面の曲面に合わせて貼付することができる。
【００２３】
そして、本考案においては、導電性細長材の配列や間隔を一定に維持しているので、本出願人の特許第３９７６２０６号のように、温熱マットの使用時における電磁波の発生を著しく減少させることができ、また、導電性細長材同士のショートを無くし、発熱部の信頼性が著しく向上する。
【００２４】
また、導電性細長材としては、例えば、ニクロム線又は鉄ニクロム線などを用いることもできる。また、上記ニクロム線に限られず、低消費電力になるなど高効率である炭素繊維などのカーボンを主組成とする線材が使用される。
【００２５】
なお、上記導電性細長材は、配設される黄土シートの少なくとも下方において、所定間隔を有して並列に配設されて、黄土シートと一体化して粘着する構成としてもよい。
【００２６】
そして、使用者は、使用者の背中が上記突起部の曲面に沿って接触するように仰向けに横になることで、使用者が任意の位置の脊髄を選択して加温することができるように構成している。
【００２７】
また、本実施例における温熱マットは、軽量な低反発ポリウレタン及び面テープ状の発熱部により構成されているので、携帯性に優れている。したがって、家庭用の電源がある所ならば、温熱マットをあらゆる場所においても使用できる利便性を有する。
【実施例】
【００２８】
以下、本考案の実施例について図面を用いて詳細に説明する。
【００２９】
まず、図１〜図３を参照して、本実施例における温熱マット１０の構造について説明する。図１は温熱マット１０の概観を示す斜視図である。図２は温熱マット１０の内部構造を示す図である。図３は発熱部２０の内部構造を示す図である。
【００３０】
図１に示すように、温熱マット１０は、低反発ポリウレタン等のクッション材で長方矩形に形成されたベースマット１１と、当該ベースマット１１の上面の長手方向略中央部に、同じく低反発ポリウレタン等のクッション材で設けられた人体の脊髄に沿った曲面を有する突起部１２とで構成されている。そして、全体をカバー１５で覆うことにより、外見的に独特な形状をもつ温熱マット１０としている。
【００３１】
また、温熱マット１０には、その内部に設けられた発熱部２０（図２参照）に電気の通電を制御して、発熱部２０の温度（つまり、発熱量）を調節することが可能なコントローラ３０と、家庭用電源から電気を供給する電源部４０が接続されている。つまり、本実施例におけるコントローラ３０は、温度調節部として機能することになる。
【００３２】
そして、図２に示すように、突起部１２の上面の曲面に沿って、黄土を含有した可撓性を有する面テープ状に形成された発熱部２０が貼り付けられている。また、発熱部２０の両端には、通電部１３が設けられている。
【００３３】
そして、上記電源部４０としてはＡＣ／ＤＣ変換アダプタなどが用いられ、家庭用の交流電流は直流電流に変換されて、通電部１３から発熱部２０の内部に間隔を一定に設けられた導電性細長材に通電部１３を介して通電される。
【００３４】
また、本実施例におけるコントローラ３０は、電源部４０から通電される直流電流の量を制御するものであり、発熱部２０の発熱温度を調整可能としている。さらに、コントローラ３０には、温熱マット１０への連続通電時間（例えば、１５分）を監視する機能が設けられており、連続通電時間が経過すると自動的に電源が切断される構成としている。
【００３５】
なお、コントローラ３０により調整可能な発熱部２０の発熱温度には上限値（例えば、４０度）を設け、上述した温熱マット１０への連続通電時間を監視する機能とともに、例えば、使用者が温熱マット１０を使用中に寝てしまった場合などに、発熱部２０と接触している使用者の体の部位に低温やけどを生起しないように、発熱部２０の発熱温度が設定されることが望ましい。
【００３６】
発熱部２０は、図３に示すように、上下２枚の黄土シート素材（つまり、黄土シート２１，２２）に挟みこむように、導電性細長材であるニクロム線２４を複数本並列に配設し、同ニクロム線２４にコントローラ３０より通電部１３を介して通電して所定の熱を発するようにしている。
【００３７】
発熱部２０を構成する黄土シート２１，２２、通電部１３および下記の中間部材２３としては、可撓性を有するものが好ましい。
【００３８】
黄土シート２１，２２のシート素材としては、紙製シート、布製シート、ビニルなどの合成樹脂製シートやフィルムなどが好ましいが、さらにいえば、非伸縮性のものが好ましい。伸縮がなければ、ニクロム線２４の相互間の距離が一定に維持され、電磁波がより確実に相殺され、電磁波の発生が抑制されるからである。
【００３９】
また、上記黄土シート２１，２２には、遠赤外線機能を発揮する黄土が含有されている。すなわち、シート素材に、黄土を練り込ませることにより形成している。黄土の酵素成分には、カタラーゼ（catalase）、ラッカーゼ（Diphenol oxydase）、サッカラーゼ（Saccharase）、プロテアーゼ（Protease）などが含まれている。
【００４０】
そして、本実施例における温熱マット１０は、黄土シート２１，２２に含まれる黄土による遠赤外線効果により、発熱部２０のニクロム線２４の電熱効果によって、より暖房効果を高めることができる。
【００４１】
そして、ニクロム線２４の断線が防止され、ニクロム線２４相互の接触によるショートの発生や局部的な過加熱などの発生が防止される。また、いわゆるラミネートなどの熱圧着で黄土シート２１，２２同士を接着する場合、黄土シート２１，２２としてはラミネート可能なフィルムなどが好ましい。
【００４２】
なお、ここでいう伸縮性とは、熱圧着を用いる場合、熱圧着後の伸縮性のことである。黄土シート２１，２２としては、相対向する黄土シート２１，２２側の面に熱硬化性接着剤が塗布されているものを適用できる。上記２つの黄土シート２１，２２のうち少なくともいずれか一方は、透明など、両黄土シート２１，２２間に配置されたニクロム線２４を視認可能にする光透過性を有することもできる。
【００４３】
導電性細長材としてのニクロム線２４は複数配置される。各ニクロム線２４は、両黄土シート２１，２２の間に、中間部材２３などを配設して相互に電気的に絶縁された状態で並列配置される。そして、通電部１３を、１つ以上のニクロム線２４（以下、一群のニクロム線２４とも称する）の一端側に電気的に接続し、残るニクロム線２４（以下、他群のニクロム線２４とも称する）の一端側とは電気的に絶縁させる。
【００４４】
上記中間部材２３としては、絶縁テープと、当該絶縁テープの両面に付着した通電部１３とで構成されたものを用いることができる。また、これに限られず、２枚の黄土シート２１，２２の間に複数のニクロム線２４の全体を覆うような絶縁性を有するシート材を配設してもよい。
【００４５】
そして、発熱部２０には電源部４０から通電部１３を介して電気が供給され、ニクロム線２４に電気を流して熱を直ぐに発するようにしている。すなわち、電源部４０からコントローラ３０を介して通電部１３に電源が供給され、各ニクロム線２４に電気を通すようにしている。これにより、ニクロム線２４が発熱体として機能する。これにより、直ぐに発熱する電熱シートとすることができる。
【００４６】
また、電源の正極側を一端側の通電部１３に接続し、負極側を他端側の通電部１３に接続して一群のニクロム線２４に電気を流す。また、電源の正極側を他端側の通電部１３に接続し、負極側を一端側の通電部１３に接続して他群のニクロム線２４に電気を流す。これにより、一群のニクロム線に流れる電流の向きと、他群のニクロム線に流れる電流の向きとが互いに逆となり、電磁波を相殺させることができる。
【００４７】
なお、上記発熱部２０ではニクロム線２４を用いていたが、本考案は、これに限られず、例えば、本考案出願人が取得の特許第３９７６２０６号公報に記載のような構造を有するものを適用することができる。すなわち、炭素繊維を導電性細長材とした発熱部２０も適用することができる。
【００４８】
そして、温熱マット１０は、家庭用電源からの電力を、コントローラ３０を介して発熱部２０のニクロム線２４に供給している。コントローラ３０は、その内部に可変抵抗を有しており、コントローラ３０の上面に設けられた各種スイッチ（図示せず）を使用者が操作することにより、可変抵抗の抵抗値を変更して、ニクロム線２４に流す電流値を可変とすることで、発熱部２０の温度調節を可能としている。
【００４９】
このように形成されたベースマット１１、突起部１２、発熱部２０は、袋形状を有するカバー１５の中に挿入可能としている。カバー１５は、その全体がシート状を有している。これにより、カバー１５はその薄さにより軽量性を有するので、持ち運びを容易としている。
【００５０】
ここで、図４を参照して、本実施例における温熱マット１０の使用例を説明する。図４は温熱マット１０の使用例を示す図である。
【００５１】
図４（ａ）は、使用者が首から背中にいたる脊髄（つまり、頚髄）を、温熱マット１０により温めている状態を示している。この場合は使用者の脊髄のうち主に頚髄が温められることになる。
【００５２】
図４（ｂ）は、使用者が腰からお尻の脊髄（つまり、腰髄から仙髄）を、温熱マット１０により温めている状態を示している。この場合は使用者の脊髄のうち主に腰髄及び仙髄が温められることになる。
【００５３】
このように、本実施例における温熱マット１０は、全身を温める方式と比較して使用者の体への負担が少ない状態で、使用者自身が脊髄の温めたい部位を任意に選択して温められるようにしている。これにより、使用者の体の基幹となる脊髄及びその周辺の血行がよくなり、日常生活におけるストレスから発生する様々な生活習慣病、例えば、肩こりや腰痛等を緩和することができる。
【００５４】
また、近年では、精神的ストレス（対人関係、仕事など）又は身体的ストレス（肉体疲労、睡眠不足、痛み（肩こり、腰痛など））により自律神経のバランスやホルモンのバランスが崩れて血液の流れが悪くなり、低体温（所謂、平熱といわれる平均体温の低下）となる場合が多い。
【００５５】
そして、この低体温状態では、例えば、体温が１℃低下すると、人間の体内の免疫力は約３０％も低下して、この結果様々な病気を引き起こす原因となりかねない。ところが、逆に体温が１℃上昇すると、人間の体内の免疫力は約５００％〜６００％、つまり、約５倍〜６倍も向上する場合がある。
【００５６】
すなわち、本実施例における温熱マット１０により、使用者の体の基幹となる脊髄を中心に温めることにより、血行を良くするだけではなく、使用者自身の体温を上昇させることが可能となるため、使用者の体内の免疫力の向上させることができ、病気を防ぐとともに老化防止を図ることができる。
【００５７】
さらに、発熱部２０を構成する黄土シート２１，２２により放射された遠赤外線の効果により、使用者の体内で温められた脊髄の温熱効果を長時間持続させることができる。これにより、使用者の体温の上昇も長時間維持させることになり、使用者の体内における免疫力が向上する時間も長時間維持させることができる。
【００５８】
上述してきたように、本実施例における温熱マット１０は、ニクロム線２４を複数本並列に配設し、同ニクロム線２４に電源部４０より通電部１３を介して通電することにより、発熱部２０から所定の熱を発して、その熱を発熱部２０の２つの黄土シート２１，２２に含有された黄土の遠赤外線効果により、温熱効果を長く維持することができる。
【００５９】
つまり、黄土シート２１，２２に含有された黄土の遠赤外線効果により、直接使用者の体内の脊髄に対する温熱効果を長く維持することができるので、効率よく使用者の体温を上昇させることができる。また、携帯性が良好な温熱マット１０としているので、使用者が好適な場所を任意に選択して使用することができる。
【００６０】
また、上記発熱部２０は直流電源により駆動可能であるので、トラックなどの車両においてバッテリ電源により駆動可能とすることもできる。この場合は、発熱部２０は、運転席前のパネルに設置されたシガーライター用ソケットを介して駆動可能とするとよい。
【００６１】
これにより、本実施例における温熱マット１０は、トラックの運転室内の仮眠室において、上記バッテリ電源１７からシガーライター用ソケットを介しての電源供給により使用することが可能である。
【符号の説明】
【００６２】
１０  温熱マット
１１  ベースマット
１２  突起部
１３  通電部
１５  カバー
２０  発熱部
２１  黄土シート（上部黄土シート）
２２  黄土シート（下部黄土シート）
２３  中間部材
２４  ニクロム線（導電性細長材）
３０  コントローラ（温度調節部）
４０  電源部
【図１】
0003166074.tif 000003
【図２】
0003166074.tif 000004
【図３】
0003166074.tif 000005
【図４】
0003166074.tif 000006